(57)【特許請求の範囲】
【請求項１】
所望の被写体を撮像して映像信号を得、前記映像信号を記録媒体に記録すると共に、外部の制御機器に出力する撮像装置であって、
前記制御機器より入力されるタイムコードに同期したタイムコードを生成して前記映像信号と共に記録する
ことを特徴とする撮像装置。
【請求項２】
前記映像信号と共に記録するタイムコードを、前記制御機器に送出する
ことを特徴とする請求項１に記載の撮像装置。
【請求項３】
前記映像信号及び前記タイムコードの記録は、前記制御機器により入力される制御信号により制御されて実行する
ことを特徴とする請求項１に記載の撮像装置。
【請求項４】
操作子の操作に応動して、前記映像信号を再生し、再生した映像信号を前記制御機器に送出する
ことを特徴とする請求項１に記載の撮像装置。
【発明の詳細な説明】
【０００１】
【発明の属する技術分野】
本発明は、撮像装置に関し、例えばカメラ一体型ビデオテープレコーダにおいて、カメラコントロールユニットより伝送されるタイムコードに同期してタイムコードを生成し、このタイムコードを映像信号と共に記録することにより、複数台のテレビジョンカメラ等を用いた撮像系から収録系までのシステムに適用して、一体に保持した記録系を有効に利用することができるようにする。
【０００２】
【従来の技術】
従来、放送局等においては、複数台のテレビジョンカメラを用いて撮像系から収録系までのシステムを形成するようになされている。このためこの放送局等において使用されるテレビジョンカメラは、カメラコントロールユニットを介して映像信号をスイッチャーに伝送し、これによりスイッチャーで映像信号を選択してオンエア画像を収録できるようになされている。
【０００３】
さらにこの種のテレビジョンカメラは、カメラコントロールユニットを介して、このオンエア画像を形成するリターン画像のビデオ信号を受け、このリターン画像のビデオ信号をモニタできるようになされ、また基準となる同期用のビデオ信号（例えばブラックバースト等）に同期した、カメラコントロールユニットから伝送されてくる同期用信号を基準にして他のテレビジョンカメラ、スイッチャー等と同期して動作するようになされている。
【０００４】
これに対して取材現場等において使用されるカメラ一体型ビデオテープレコーダにおいては、撮像系から収録系までのシステムを単独で形成できるように形成され、内蔵のタイムコードジェネレータでタイムコードを生成し、後日編集等に役立てることができるように、映像信号と共にこのタイムコードを記録するようになされている。
【０００５】
【発明が解決しようとする課題】
ところでこの種のカメラ一体型ビデオテープレコーダにおいては、携帯して簡易に使用できることにより、放送局において、テレビジョンカメラとして使用して便利であると考えられる。すなわちこのように使用することができれば、放送局等において必要とされるテレビジョンカメラをカメラ一体型ビデオテープレコーダ１台で代用でき、その分放送機材を有効に利用することができる。
【０００６】
このようにして使用する際に、撮像系と一体に保持されたＶＴＲ部を有効に利用することができれば、さらに一段と使い勝手を向上できると考えられる。すなわちこの場合、複数台のテレビジョンカメラを用いた撮像系から収録系までの大きなシステムにおいて、カメラ一体型ビデオテープレコーダにより別途収録系を形成することができれば、便利であると考えられる。
【０００７】
本発明は以上の点を考慮してなされたもので、複数台のテレビジョンカメラ等を用いた撮像系から収録系までのシステムに適用して、一体に保持された記録系を有効に利用することができる撮像装置を提案しようとするものである。
【０００８】
【課題を解決するための手段】
かかる課題を解決するため本発明においては、所望の被写体を撮像して映像信号を得、この映像信号を記録媒体に記録すると共に、外部の制御機器に出力する撮像装置であって、この制御機器より入力されるタイムコードに同期したタイムコードを生成して先の映像信号と共に記録する。
【０００９】
またこのとき、先の映像信号と共に記録するタイムコードを、先の制御機器に送出する。
【００１０】
またこれに代えて、先の映像信号及びタイムコードの記録は、先の制御機器により入力される制御信号により制御されて実行する。
【００１１】
さらにこれに代えて、操作子の操作に応動して、先の映像信号を再生し、再生した映像信号を先の制御機器に送出する。
【００１２】
これらの手段により、映像信号を記録媒体に記録すると共に、外部の制御機器に出力する撮像装置であれば、複数台のテレビジョンカメラ等を用いた撮像系から収録系までのシステムに適用することができる。このとき、この制御機器より入力されるタイムコードに同期したタイムコードを生成して先の映像信号と共に記録すれば、この撮像装置に保持された記録系において、システム全体と共通のタイムコードにより映像信号を個別に記録することができる。
【００１３】
また、映像信号と共に記録するこのタイムコードを、制御機器に送出すれば、この種のシステムにおいて、この撮像装置の動作をモニタすることができる。
【００１４】
さらに、映像信号及びタイムコードの記録が、制御機器より入力される制御信号により制御されて実行されれば、この撮像装置の動作を全体のシステムにより制御することができる。
【００１５】
さらにこれに代えて、操作子の操作に応動して、映像信号を再生して先の制御機器に送出すれば、この撮像装置単独で記録した内容をモニタすることができる。
【００１６】
【発明の実施の形態】
以下、適宜図面を参照しながら本発明の実施の形態を詳述する。
【００１７】
図１は、本発明の実施の形態に係るカメラシステムを示すブロック図である。このカメラシステム１は、カメラ一体型ビデオテープレコーダ２Ａ及び２Ｂにより撮像した映像信号を、このカメラ一体型ビデオテープレコーダ２Ａ及び２Ｂでそれぞれ記録すると共に、スイッチャー３により選択して図示しないビデオテープレコーダにより収録する。
【００１８】
このためスイッチャー３は、カメラコントロールユニット（ＣＣＵ）４Ａ及び４Ｂを介してカメラ一体型ビデオテープレコーダ２Ａ及び２Ｂよりビデオ信号ＳＶ１及びＳＶ２を受け、オペレータの操作に応動して、これらビデオ信号ＳＶ１及びＳＶ２を選択して、またはミキシング等の処理を実行して図示しないビデオテープレコーダに出力する。
【００１９】
このときスイッチャー３は、復号同期信号にカラーバースト信号を重畳して形成されてなる局内同期信号（すなわちブラックベーストでなる）ＳＹＮＣを基準にして動作を切り換え、またこの局内同期信号ＳＹＮＣをカメラコントロールユニット４Ａ及び４Ｂに出力し、これにより局内同期信号ＳＹＮＣを基準にしてカメラコントロールユニット４Ａ及び４Ｂと同期して動作する。
【００２０】
さらにスイッチャー３は、編集結果でなるリターン画像のビデオ信号ＲＥＴをタイムコードジェネレータ５を介してカメラコントロールユニット４Ａ及び４Ｂに出力し、これによりリターン画像のビデオ信号ＲＥＴをこれらカメラコントロールユニット４Ａ及び４Ｂを介してカメラ一体型ビデオテープレコーダ２Ａ及び２Ｂに伝送する。これによりスイッチャー３は、カメラ一体型ビデオテープレコーダ２Ａ及び２Ｂがリターン画像のビデオ信号ＲＥＴに同期して動作して、このビデオ信号ＲＥＴに同期したビデオ信号ＳＶ１及びＳＶ２を入力できるようになされている。
【００２１】
モニタ６Ａ及び６Ｂは、カメラコントロールユニット４Ａ及び４Ｂを介してカメラ一体型ビデオテープレコーダ２Ａ及び２Ｂより出力されるビデオ信号ＳＶ１及びＳＶ２をそれぞれ受け、各ビデオ信号ＳＶ１及びＳＶ２を表示する。これによりモニタ６Ａ及び６Ｂは、それぞれカメラ一体型ビデオテープレコーダ２Ａ及び２Ｂの映像信号をモニタできるようになされている。
【００２２】
これらの処理のために、カメラコントロールユニット４Ａ及び４Ｂは、タイムコードジェネレータ５を介してリターン画像のビデオ信号ＲＥＴを受け、このビデオ信号ＲＥＴをそれぞれカメラ一体型ビデオテープレコーダ２Ａ及び２Ｂに出力する。またカメラコントロールユニット４Ａ及び４Ｂは、それぞれカメラ一体型ビデオテープレコーダ２Ａ及び２Ｂよりビデオ信号ＳＶ１及びＳＶ２を受け、このビデオ信号ＳＶ１及びＳＶ２をモニタ６Ａ及び６Ｂに出力すると共に、スイッチャー３に出力する。
【００２３】
このときカメラコントロールユニット４Ａ及び４Ｂは、同軸ケーブルの外周を第２のシールドで覆って形成されたいわゆるトライアックスケーブルを用いてリターン画像のビデオ信号ＲＥＴと各ビデオ信号ＳＶ１及びＳＶ２を送受し、これによりカメラ一体型ビデオテープレコーダ２Ａ及び２Ｂとの間を１本のケーブルで接続してこれらビデオ信号ＲＥＴ、ＳＶ１、ＳＶ２を送受する。
【００２４】
このようにしてカメラ一体型ビデオテープレコーダ２Ａ及び２Ｂを用いて撮像系から収録系までのシステムを形成し、同時にカメラ一体型ビデオテープレコーダ２Ａ及び２Ｂで記録する映像信号をシステム側でも記録する場合、カメラ一体型ビデオテープレコーダ２Ａ及び２Ｂにおいても、システム全体と共通のタイムコードを映像信号と共に記録することが必要になる。
【００２５】
このためタイムコードジェネレータ５は、リターン画像のビデオ信号ＲＥＴより同期信号を検出し、この同期信号を基準にしてタイムコードを生成する。このときタイムコードジェネレータ５は、ＶＩＴＣ（Vertical Interval Time Code ）によりタイムコードを生成し、このＶＩＴＣをリターン画像のビデオ信号ＲＥＴに重畳して出力する。これによりこのカメラシステム１では、リターン画像のビデオ信号ＲＥＴにタイムコードを重畳してカメラ一体型ビデオテープレコーダ２Ａ及び２Ｂ側に伝送するようになされている。
【００２６】
すなわちこのようにしてタイムコードを伝送する場合に、別途ケーブルを敷設して伝送する方法が考えられる。ところがこの種のカメラシステムにおいては、このカメラ一体型ビデオテープレコーダ２Ａ及び２Ｂとカメラコントロールユニット４Ａ及び４Ｂとを接続するケーブルが、建物内に敷設済の場合もあり、この場合別途ケーブルを敷設すると、その分設置作業が煩雑になる。またカメラコントロールユニット４Ａ及び４Ｂにおいても、既存の設備においては、タイムコードを伝送するように形成されておらず、別途タイムコードを伝送する場合には、既存のカメラコントロールユニットを有効に利用できなくなる。これによりこの実施の形態では、リターン画像のビデオ信号ＲＥＴにタイムコードを重畳して伝送することにより、既存の設備を有効に利用することができるようになされている。
【００２７】
ＶＴＲコントローラ８Ａ及び８Ｂは、カメラ一体型ビデオテープレコーダ２Ａ及び２Ｂの動作を制御するコントローラでなり、操作パネルに配置された操作子の操作に応動して制御コマンドＤＣを発行する。さらにＶＴＲコントローラ８Ａ及び８Ｂは、カメラコントロールユニット４Ａ及び４Ｂにおいて、それぞれこの制御コマンドＤＣをリターン画像のビデオ信号ＲＥＴに周波数多重化する。これによりこのカメラシステム１では、カメラ一体型ビデオテープレコーダ２Ａ及び２Ｂのビデオテープレコーダ部の動作をスイッチャー３側で遠隔制御できるようになされている。
【００２８】
これらのスイッチャー３側に対応してカメラ一体型ビデオテープレコーダ２Ａ及び２Ｂは、バッテリパックに代えて背面に配置したカメラアダプタ（ＣＡ）９Ａ及び９Ｂを介して、それぞれカメラコントロールユニット４Ａ及び４Ｂと接続され、リターン画像のビデオ信号ＲＥＴ、撮像結果でなるビデオ信号ＳＶ１及びＳＶ２を送受する。
【００２９】
これによりカメラ一体型ビデオテープレコーダ２Ａ及び２Ｂは、カメラコントロールユニット４Ａ及び４Ｂから伝送される同期用の信号を基準にして動作し、局内同期信号ＳＹＮＣに位相同期したビデオ信号ＳＶ１、ＳＶ２を出力する。このときカメラ一体型ビデオテープレコーダ２Ａ及び２Ｂは、カメラアダプタ９Ａ及び９Ｂにおいて、ＶＩＴＣからＬＴＣ（Longitudinal Time Code）を生成し、このＬＴＣに同期して生成したタイムコードＶＩＴＣ、ＬＴＣをそれぞれ映像信号と共に記録する。
【００３０】
これによりカメラ一体型ビデオテープレコーダ２Ａ及び２Ｂは、複数台のテレビジョンカメラにより撮像系から収録系までのシステムを形成するこの種のカメラシステム１に適用することができるようになされている。また後日、この磁気テープに記録したビデオ信号ＳＶ１及びＳＶ２を編集等に利用することができるように形成され、これにより一体に保持した記録系を有効に利用できるようになされている。
【００３１】
またカメラ一体型ビデオテープレコーダ２Ａ及び２Ｂは、ビデオ信号ＲＥＴと周波数多重化されて伝送された制御コマンドＤＣをカメラアダプタ９Ａ及び９Ｂにより復調し、この制御コマンドＤＣに従ってビデオテープレコーダ部の動作を切り換える。これによりカメラ一体型ビデオテープレコーダ２Ａ及び２Ｂは、カメラシステム１に適用して単独で映像信号を記録する場合でも、カメラシステム１全体の動作を制御するスイッチャー３側で動作を制御できるようになされている。
【００３２】
さらにカメラ一体型ビデオテープレコーダ２Ａ及び２Ｂは、磁気テープに記録するタイムコードをＶＩＴＣに変換し、ビデオ信号ＳＶ１及びＳＶ２に重畳する。さらにカメラ一体型ビデオテープレコーダ２Ａ及び２Ｂは、このビデオ信号ＳＶ１及びＳＶ２をカメラコントロールユニット４Ａ及び４Ｂを介してモニタ６Ａ及び６Ｂに出力する。これによりカメラ一体型ビデオテープレコーダ２Ａ及び２Ｂは、カメラシステム１に適用して単独で映像信号を記録する場合でも、カメラシステム１全体の動作をモニタするスイッチャー３側で、正しくタイムコードを設定して動作しているか否か確認できるようになされている。
【００３３】
またカメラ一体型ビデオテープレコーダ２Ａ及び２Ｂは、操作子の操作に応動して、また制御コマンドに応動して動作を切り換え、磁気テープに記録したビデオ信号ＳＶ１及びＳＶ２を再生して出力する。これによりカメラ一体型ビデオテープレコーダ２Ａ及び２Ｂは、記録結果についてもスイッチャー３側で確認できるようになされている。
【００３４】
図２は、このカメラコントロールユニット４Ａを示すブロック図である。なおここでカメラコントロールユニット４Ｂは、入出力信号が異なる点を除いて、カメラコントロールユニット４Ａと同一構成でなることから、カメラコントロールユニット４Ｂについては、この図２において対応する信号を括弧付きの符号により示し、重複した説明を省略する。
【００３５】
このカメラコントロールユニット４Ａにおいて、周波数変調回路１０は、ＶＴＲコントローラ８Ａから制御コマンドＤＣを入力する。周波数変調回路１０は、この制御コマンドＤＣをシリアルデータに変換した後、周波数変調して加算回路１３に出力し、加算回路１３は、この周波数変調信号をリターン画像のビデオ信号ＲＥＴに加算して出力する。これによりカメラコントロールユニット４Ａでは、リターン画像のビデオ信号ＲＥＴに制御コマンドＤＣを多重化してカメラ一体型ビデオテープレコーダ２Ａに出力するようになされている。
【００３６】
さらにカメラコントロールユニット４Ａは、ビデオ信号ＳＶ１をタイムコードリーダー（ＴＣリーダー）１５に与えると共に、図示しない信号処理回路を介してスイッチャー３に出力する。タイムコードリーダー１５は、このビデオ信号ＳＶ１からＶＩＴＣを抽出する。さらにタイムコードリーダー１５は、このＶＩＴＣより、時間、分、秒、フレームで表されるタイムデータを生成し、このタイムデータをマイコン１６に出力する。マイコン１６は、このタイムデータに従ってキャラクタージェネレータ１７を駆動する。
【００３７】
キャラクタージェネレータ１７は、このタイムデータにより表される時間、分、秒、フレームの文字画像を形成する。加算回路１８は、この文字画像でなるビデオ信号を撮像結果でなるビデオ信号ＳＶ１に加算してモニタ６Ａに出力し、これによりカメラコントロールユニット４Ａでは、モニタ６Ａを介してビデオ信号ＳＶ１の画像上で、このビデオ信号ＳＶ１のタイムコードを確認できるようになされている。
【００３８】
図３は、カメラコントロールユニット４Ａ（４Ｂ）のタイムコードリーダー１５を示すブロック図である。このタイムコードリーダー１５は、増幅回路２０によりビデオ信号ＳＶ１を増幅して信号レベルを補正した後、クランプ回路２１に入力する。ここでクランプ回路２１は、予め設定された直流レベルでビデオ信号ＳＶ１をクランプし、ビデオ信号ＳＶ１の直流レベルを補正して出力する。
【００３９】
続くトラップ回路２２は、ビデオ信号ＳＶ１よりサブキャリア成分を除去して出力し、これによりタイムコードリーダー１５では、このサブキャリア成分により誤動作を有効に回避するようになされている。コンパレータ２３は、トラップ回路２２より出力されるビデオ信号ＳＶ１を受け、予め設定されたしきい値電圧Ｖ１により２値化して出力し、これによりビデオ信号ＳＶ１より同期信号ＳＹＮＣ１を抽出して出力する。
【００４０】
ブランキング検出回路２４は、この同期信号ＳＹＮＣ１より垂直ブランキング期間を検出し、この垂直ブランキング期間の間、選択回路２５の接点を切り換える。バースト検出回路２６は、同期信号ＳＹＮＣ１からバースト信号の期間を得、このバースト信号の期間の間、信号レベルが立ち下がるゲート信号ＧＴ１を生成する。
【００４１】
選択回路２５は、トラップ回路２２より出力されるビデオ信号ＳＶ１を受けると共に、ブランキング検出回路２４により制御されて接点を切り換え、これによりＶＩＴＣが重畳されてなる垂直ブランキング期間の間だけ、ビデオ信号ＳＶ１を選択出力する。
【００４２】
続くコンパレータ２８は、選択回路２５より出力されるビデオ信号ＳＶ２を受け、しきい値電圧Ｖ２により２値化して出力し、これによりＶＩＴＣを復調する。アンド回路２９は、ゲート信号ＧＴ１に応動してコンパレータ２８の出力信号を選択出力し、これによりバースト信号等の混入を有効に回避して、ＶＩＴＣだけを続く信号処理回路３０に出力する。
【００４３】
この信号処理回路３０は、ＶＩＴＣとＬＴＣとを相互に変換し、またＶＩＴＣ又はＬＴＣとタイムデータとを相互に変換するように形成された集積回路であり、ここでは内部に配置されたＶＩＴＣリーダー３１にアンド回路２９の出力信号を入力する。ここでこのＶＩＴＣリーダー３１は、同期信号ＳＹＮＣ１を基準にして内蔵のジェネレータによりクロックを生成し、このクロックを基準にして、アンド回路２９の出力信号をシフトレジスタに順次取り込みむことによりＶＩＴＣを取り込む。このＶＩＴＣの取り込みが完了すると、ＶＩＴＣリーダー３１は、マイコン１６に割り込みをかけ、このマイコン１６からの応答に従ってシフトレジスタの内容を出力する。
【００４４】
これによりタイムコードリーダー１５は、ビデオ信号ＳＶ１、ＳＶ２に重畳されて伝送されたＶＩＴＣを復調してモニタ６Ａ及び６Ｂに表示できるようになされている。
【００４５】
図４は、カメラ一体型ビデオテープレコーダ２Ａを示すブロック図である。ここでカメラ一体型ビデオテープレコーダ２Ｂは、出力信号が異なる点を除いて、カメラ一体型ビデオテープレコーダ２Ａと同一構成でなることから、カメラ一体型ビデオテープレコーダ２Ｂについては、この図４において対応する信号を括弧付きの符号により示し、重複した説明を省略する。
【００４６】
このカメラ一体型ビデオテープレコーダ２Ａでは、本体３２の背面に配置したカメラアダプタ９Ａを介して、カメラコントロールユニット４Ａとの間で、ビデオ信号ＲＥＴ及びＳＶ１を入出力する。
【００４７】
カメラアダプタ９Ａにおいて、タイムコード変換回路（ＴＣ変換）３４は、リターン画像のビデオ信号ＲＥＴを受け、ＶＩＴＣを抽出する。さらにタイムコード変換回路３４は、この抽出したＶＩＴＣをＬＴＣに変換し、側面に配置されたＢＮＣコネクタを介して本体３２に出力する。これによりカメラ一体型ビデオテープレコーダ２Ａ、２Ｂは、このＬＴＣに内部のタイムコードを同期させ、この同期したタイムコード（ＶＩＴＣ及びＬＴＣでなる）を映像信号と共に記録する。
【００４８】
すなわち本体３２において、タイムコード処理回路（ＴＣ処理）３５は、このＬＴＣを受け、このＬＴＣに同期してなるＬＴＣ１及びＶＩＴＣを生成する。タイムコード処理回路３５は、この生成したＶＩＴＣを加算回路３６に出力し、撮像系３７より出力されるビデオ信号ＳＶ１の垂直ブランキング期間に介挿して記録再生系３８に出力する。さらにタイムコード処理回路３５は、ＬＴＣ１を直接記録再生系３８に出力し、これによりＶＩＴＣをビデオ信号ＳＶ１に重畳して斜めトラックに記録し、またＬＴＣ１を磁気テープの長手トラックに記録する。
【００４９】
これによりカメラ一体型ビデオテープレコーダ２Ａ及び２Ｂでは、カメラシステム１と共通のタイムコードを映像信号を共に記録して、後日編集等に役立てることができるようになされている。ビューファインダ（ＶＦ）３９は、この撮像系３７より得られるビデオ信号ＳＶ１及びリターン画像のビデオ信号ＲＥＴを受け、カメラマンの操作に応動して選択的に表示する。
【００５０】
さらにカメラアダプタ９Ａにおいて、復調回路４０は、リターン画像のビデオ信号ＲＥＴを受け、このビデオ信号ＲＥＴに多重化されて伝送された制御コマンドＤＣを復調する。カメラアダプタ９Ａは、本体３２との間を結ぶ多芯のコネクタ４１を介して、この制御コマンドＤＣを本体３２に伝送し、これによりＶＴＲコントローラ８Ａ及び８Ｂから送出された制御コマンドＤＣを本体３２に伝送してスイッチャー３側でカメラ一体型ビデオテープレコーダ２Ａ及び２Ｂを遠隔制御できるようにする。
【００５１】
すなわち本体３２においては、この制御コマンドＤＣをマイコン４３に入力する。ここでこのマイコン４３は、このカメラ一体型ビデオテープレコーダ２Ａ全体の動作を制御するシステム制御回路を形成し、この制御コマンドＤＣに応動して、またこのカメラ一体型ビデオテープレコーダ２Ａの操作子の操作に応動して撮像系３７、記録再生系３８に制御コマンドを発行する。これによりカメラ一体型ビデオテープレコーダ２Ａでは、遠隔制御により映像信号を記録する。
【００５２】
この制御において、マイコン４３は、再生コマンドが入力されると、又はカメラマンが再生の操作子を操作すると、記録再生系３８の動作モードを再生モードに切り換えると共に、選択回路４４の接点を切り換え制御する。ここでこの選択回路４４は、加算回路３６より出力されるビデオ信号ＳＶ１を受け、このビデオ信号ＳＶ１をカメラアダプタ９Ａを通過させてカメラコントロールユニット４Ａに伝送するようになされている。これによりカメラ一体型ビデオテープレコーダ２Ａでは、タイムコード処理回路３５により生成されるタイムコードを、映像信号と共にモニタできるようになされている。
【００５３】
さらに選択回路４４は、マイコン４３により接点が切り換えられると、この加算回路３６より出力されるビデオ信号ＳＶ１に代えて、記録再生系３８より出力されるビデオ信号ＳＶ１を出力し、これによりカメラ一体型ビデオテープレコーダ２Ａでは、記録結果についても、スイッチャー３側でモニタできるようになされている。
【００５４】
図５は、このカメラアダプタ９Ａのタイムコード変換回路３４を示すブロック図である。ここでこのタイムコード変換回路３４の構成のうち、増幅回路２０から信号処理回路４５までの構成は、図３について上述したタイムコードリーダー１５の対応する構成と、処理対象の信号が異なる点を除いて共通することにより、対応する構成に共通の符号を付して示し、重複した説明は省略する。
【００５５】
すなわちタイムコード変換回路３４は、リターン画像のビデオ信号ＲＥＴより抽出した同期信号ＳＹＮＣ２を信号処理回路４５に入力し、またこのビデオ信号ＲＥＴを波形整形してＶＩＴＣを復調し、このＶＩＴＣを信号処理回路４５に入力する。
【００５６】
ここでこの信号処理回路４５は、図３について上述した信号処理回路３０と同一の集積回路で形成され、ここでは内蔵のＶＩＴＣリーダー４６によりＶＩＴＣを取り込む。ＶＩＴＣリーダー４６は、ＶＩＴＣを取り込むと、マイコン４７に割り込みをかけ、このマイコン４７からの指示に従って、取り込んだＶＩＴＣをタイムデータによりマイコン４７に出力する。
【００５７】
ＬＴＣジェネレータ４８は、マイコン４７によりセットされたタイムデータを基準にして、このカメラ一体型ビデオテープレコーダ２Ａの内部同期信号ＳＹＮＣ２によりこのタイムデータを順次歩進する。さらにＬＴＣジェネレータ４８は、このように歩進するするタイムデータによりＬＴＣを生成して出力する。
【００５８】
マイコン４７は、この信号処理回路４５の動作を制御し、ＶＩＴＣリーダー４６からの割り込み要求に応動してタイムデータを取り込む。さらにマイコン４７は、ＬＴＣジェネレータ４８により歩進されるタイムデータをモニタし、このタイムデータとＶＩＴＣリーダー４６から取り込むタイムデータとが相違するようになると、予めセットに要する期間を考慮してタイムデータを生成し、このタイムデータをＬＴＣジェネレータ４８にセットする。
【００５９】
選択回路５０は、カメラマンの操作の応動して接点を切り換え、この信号処理回路４５から出力される又はリターン画像のビデオ信号ＲＥＴを選択出力する。増幅回路５１は、この選択回路５０の出力信号を７５〔Ω〕の出力インピーダンスによりＢＮＣコネクタ５２に出力する。これによりタイムコード変換回路３４では、ビデオ信号ＲＥＴに重畳されて伝送されたＶＩＴＣよりタイムコードを生成して出力するようになされている。また必要に応じて選択回路５０の接点を切り換えて、例えば本体側にＶＩＴＣの処理回路を有してなるカメラ一体型ビデオテープレコーダに対しては、直接ビデオ信号ＲＥＴを出力できるようになされている。
【００６０】
図６は、本体３２側のタイムコード処理回路３５を示すブロック図である。このタイムコード処理回路３５は、ＢＮＣコネクタ５５を介してカメラアダプタ９ＡよりＬＴＣを受け、増幅回路５６により増幅して波形整形する。
【００６１】
信号処理回路５７は、図３及び図４について上述した信号処理回路３０及び４５と同一の集積回路で形成され、ここでは内蔵のＬＴＣリーダー５８にＬＴＣを取り込む。すなわちＬＴＣリーダー５８は、この信号処理回路５７に内蔵のタイミングジェネレータにより、ＬＴＣを基準にして生成されたクロックに同期して、順次ＬＴＣをラッチし、ラッチ結果をシフトレジスタに保持する。これによりＬＴＣリーダー５８は、ＬＴＣよりタイムデータを取り込み、１フレーム分、タイムデータを取り込むとマイコン５９に割り込みをかける。
【００６２】
ＬＴＣジェネレータ６０は、マイコン５９によりセットされたタイムデータを基準にして、このカメラ一体型ビデオテープレコーダ２Ａの内部同期信号によりこのタイムデータを順次歩進する。さらにＬＴＣジェネレータ６０は、このように歩進するタイムデータによりＬＴＣ１を生成して出力する。
【００６３】
ＶＩＴＣジェネレータ６１は、マイコン５９によりセットされたタイムデータを基準にして、このカメラ一体型ビデオテープレコーダ２Ａの内部同期信号によりこのタイムデータを順次歩進する。さらにＶＩＴＣジェネレータ６１は、このように歩進するタイムデータによりＶＩＴＣを生成して出力する。
【００６４】
マイコン５９は、この信号処理回路５７の動作を制御し、ＬＴＣリーダー５８からの割り込み要求に応動してタイムデータを取り込む。さらにマイコン５９は、ＬＴＣジェネレータ６０及びＶＩＴＣジェネレータ６１により歩進されるタイムデータをモニタし、このタイムデータとＬＴＣリーダー５８から取り込むタイムデータとが相違するようになると、予めセットに要する期間を考慮してタイムデータを生成し、このタイムデータをＬＴＣジェネレータ６０及びＶＩＴＣジェネレータ６１にセットする。
【００６５】
これによりタイムコード処理回路３５では、カメラアダプタ９Ａにより復調されたＬＴＣより、スイッチャー３側のタイムコードに同期し、かつ映像信号と共に記録するＬＴＣ１及びＶＩＴＣを生成するようになされている。
【００６６】
以上の構成において、このカメラシステム１（図１）は、スイッチャー３よりカメラコントロールユニット４Ａ及び４Ｂに局内同期信号ＳＹＮＣを出力し、これによりカメラコントロールユニット４Ａ及び４Ｂ、スイッチャー３の動作を局内同期信号ＳＹＮＣに同期させる。またタイムコードジェネレータ５を介して、スイッチャー３よりカメラコントロールユニット４Ａ及び４Ｂにリターン画像のビデオ信号ＲＥＴを出力し、このリターン画像のビデオ信号ＲＥＴをカメラ一体型ビデオテープレコーダ２Ａ及び２Ｂに出力する。
【００６７】
このカメラ一体型ビデオテープレコーダ２Ａ及び２Ｂからスイッチャー３に至るまでのカメラシステム１全体として局内同期信号ＳＹＮＣに同期したビデオ信号の処理システムにおいて、カメラ一体型ビデオテープレコーダ２Ａ及び２Ｂでは、この局内同期信号ＳＹＮＣに同期して撮像結果でなるビデオ信号ＳＶ１及びＳＶ２をカメラコントロールユニット４Ａ及び４Ｂを介してスイッチャー３に出力し、またこのビデオ信号ＳＶ１及びＳＶ２を単独で磁気テープに記録する。
【００６８】
リターン画像のビデオ信号ＲＥＴにおいては、タイムコードジェネレータ５においてＶＩＴＣが重畳された後、カメラコントロールユニット４Ａ及び４Ｂを介してカメラ一体型ビデオテープレコーダ２Ａ及び２Ｂに伝送される。このカメラ一体型ビデオテープレコーダ２Ａ及び２Ｂにおいて、このＶＩＴＣは、カメラアダプタ９Ａのタイムコード変換回路３４でビデオ信号ＲＥＴより分離され、ＬＴＣに変換される。このＬＴＣは、本体３２に入力され、この本体３２のタイムコード処理回路３５において、このＬＴＣに同期したＬＴＣ１及びＶＩＴＣが生成される。
【００６９】
これらＬＴＣ１及びＶＩＴＣは、撮像系より出力されるビデオ信号ＳＶ１にＶＩＴＣが重畳されて磁気テープに斜め記録され、またＬＴＣ１が磁気テープの長手トラックに記録され、これによりカメラシステム１と共通のタイムコードが、映像信号と共に各カメラ一体型ビデオテープレコーダ２Ａ及び２Ｂで記録される。
【００７０】
このように磁気テープに記録されるビデオ信号ＳＶ１及びＳＶ２は、同時に、カメラアダプタ９Ａ及び９Ｂを介してカメラコントロールユニット４Ａ及び４Ｂに伝送され、これらカメラコントロールユニット４Ａ及び４Ｂよりスイッチャー３に入力される。これによりスイッチャー３で映像信号を処理しながら、カメラ一体型ビデオテープレコーダ２Ａ及び２Ｂにより独立して映像信号を収録することができる。
【００７１】
これらビデオ信号ＳＶ１及びＳＶ２は、ＶＩＴＣが重畳されてなり、このＶＩＴＣがカメラコントロールユニット４Ａ及び４Ｂにおいて（図２）、タイムコードリーダー１５により分離された後、タイムデータに変換される。このタイムデータは、マイコン１６、キャラクタージェネレータ１７を介して文字画像に変換され、この文字画像を形成するビデオ信号が加算回路８によりビデオ信号ＳＶ１及びＳＶ２に加算されてモニタ６Ａ及び６Ｂに表示される。これによりモニタ６Ａ及び６Ｂを介してカメラ一体型ビデオテープレコーダ２Ａ及び２Ｂにおけるタイムコードの処理をモニタすることができる。
【００７２】
またリターン画像のビデオ信号ＲＥＴにおいては、カメラコントロールユニット４Ａ及び４Ｂにおいて、ＶＴＲコントローラ８Ａ及び８Ｂにおいて操作子の操作に応動して生成された制御コマンドＤＣが多重化されて伝送され、この制御コマンドＤＣがカメラアダプタ９Ａの復調回路４０により復調される（図４）。この復調された制御コマンドＤＣは、本体３２のマイコン４３に供給され、これによりスイッチャー３側からカメラ一体型ビデオテープレコーダ２Ａ及び２Ｂの動作が遠隔制御される。
【００７３】
この遠隔制御より、又はカメラマンの操作により、カメラ一体型ビデオテープレコーダ２Ａ及び２Ｂが再生モードに設定されると、映像信号でなるビデオ信号ＳＶ１及びＳＶ２に代えて、記録再生系３８により再生されるビデオ信号ＳＶ１及びＳＶ２が選択回路４４により選択されてカメラコントロールユニット４Ａ及び４Ｂに伝送される。これによりカメラ一体型ビデオテープレコーダ２Ａ及び２Ｂに独立して収録された映像信号がスイッチャー３側でモニタされ、必要に応じて編集等の処理を実行することができる。
【００７４】
以上の構成によれば、カメラ一体型ビデオテープレコーダ２Ａ及び２Ｂの動作をカメラシステム１に同期させて各カメラ一体型ビデオテープレコーダ２Ａ及び２Ｂでも映像信号を収録するように形成し、このときリターン画像のビデオ信号ＲＥＴに重畳したＶＩＴＣを基準にしてタイムコードを併せて記録したことにより、テレビジョンカメラを前提としたシステムにカメラ一体型ビデオテープレコーダ２Ａ及び２Ｂを適用して、それぞれ映像信号を記録することができる。これにより複数台のテレビジョンカメラ等を用いた撮像系から収録系までのシステムに適用して、一体に保持された記録系を有効に利用することができる。
【００７５】
またこのときカメラ一体型ビデオテープレコーダ２Ａ及び２Ｂで生成したタイムコードをビデオ信号ＳＶ１及びＳＶ２に重畳して伝送したことにより、スイッチャー３側でカメラ一体型ビデオテープレコーダ２Ａ及び２Ｂのタイムコードの処理をモニタすることができる。
【００７６】
さらにリターン画像のビデオ信号に制御コマンドを多重化して伝送し、この制御コマンドに応動して動作を切り換えることにより、独立して映像信号を記録するカメラ一体型ビデオテープレコーダ２Ａ及び２Ｂの動作をスイッチャー３側で遠隔制御することができる。
【００７７】
またこの遠隔制御に応動して、さらには操作子の操作に応動して、カメラ一体型ビデオテープレコーダ２Ａ及び２Ｂで記録した映像信号をカメラコントロールユニット４Ａ及び４Ｂに伝送したことにより、収録した映像信号をスイッチャー３側でモニタすることができる。
【００７８】
なお上述の実施の形態においては、カメラ一体型ビデオテープレコーダ２Ａ及び２Ｂの本体３２とカメラアダプタとの間で、ＢＮＣコネクタを介してタイムコードを送受する場合について述べたが、本発明はこれに限らず、制御コマンドを伝送する多芯コネクタを介して伝送してもよい。
【００７９】
また上述の実施の形態においては、カメラアダプタから本体にＬＴＣを、本体からカメラアダプタにＶＩＴＣを伝送する場合について述べたが、本発明はこれに限らず、必要に応じて種々のフォーマットによりタイムコードを伝送することができ、またこの場合にカメラアダプタのマイコンと本体のマイコンとの間のタイムデータの送受によるデータ通信によりタイムコードを伝送してもよい。因みにこのようなデータ通信によりタイムコードを伝送する場合、受信側でなるカメラアダプタにおいて、タイムデータからタイムコードを生成してカメラコントロールユニットに出力してもよく、またこのタイムデータを直接に、又は変調してカメラコントロールユニットに出力してもよい。
【００８０】
さらに上述の実施の形態においては、リターン画像のビデオ信号及び撮像結果でなるビデオ信号にＶＩＴＣを重畳することにより、時分割多重の手法を適用してカメラコントロールユニット及びカメラ一体型ビデオテープレコーダ間でタイムコードを伝送する場合について述べたが、本発明はこれに限らず、周波数多重化の手法を適用して伝送してもよい。また独立した伝送路によりタイムコードを伝送してもよく、この場合ベースバンド、変調によりタイムデータの形式でタイムコードを伝送してもよい。
【００８１】
また上述の実施の形態においては、カメラコントロールユニット内で、タイムデータを表示するようにモニタ用のビデオ信号を処理する場合について述べたが、本発明はこれに限らず、カメラコントロールユニットからＶＩＴＣの重畳されたビデオ信号、タイムコード又はタイムデータを出力してセグメント、液晶表示パネル等にタイムコードを表示してもよい。
【００８２】
さらに上述の実施の形態においては、ＶＴＲコントローラにより生成された制御コマンドを周波数変調した後、リターン画像のビデオ信号ＲＥＴと周波数多重化して伝送する場合について述べたが、本発明はこれに限らず、種々の変調方式により変調する場合、種々の多重化方式により多重化して伝送する場合に広く適用することができる。またこの場合に、独立した伝送路により制御コマンドを伝送してもよく、この場合ベースバンド、変調によりシリアルデータに変換した制御コマンドを伝送することができる。
【００８３】
また上述の実施の形態においては、本発明をカメラ一体型ビデオテープレコーダに適用した場合について述べたが、本発明はこれに限らず、光ディスク、光磁気ディスク、磁気ディスク等、種々の記録媒体を用いて映像信号を記録する撮像装置に広く適用することもできる。
【００８４】
【発明の効果】
上述のように本発明によれば、外部機器より伝送されるタイムコードに同期して動作し、このタイムコードを映像信号と共に記録することにより、複数台の撮像装置を用いた撮像系から収録系までのシステムに適用して、独立して映像信号を収録することができ、またこの収録した映像信号を編集等に利用することができる。これによりこの種の複数台の撮像装置を用いた撮像系から収録系までのシステムに適用して、一体に保持した記録系を有効に利用することができる。
【図面の簡単な説明】
【図１】本発明の実施の形態に係るカメラシステムを示すブロック図である。
【図２】図１のカメラコントロールユニットを示すブロック図である。
【図３】図２のタイムコードリーダーを示すブロック図である。
【図４】図１のカメラ一体型ビデオテープレコーダを示すブロック図である。
【図５】図４のタイムコード変換回路を示すブロック図である。
【図６】図４のタイムコード処理回路を示すブロック図である。
【符号の説明】
１                      カメラシステム
２Ａ、２Ｂ              カメラ一体型ビデオテープレコーダ
３                      スイッチャー
４Ａ、４Ｂ              カメラコントロールユニット
５                      タイムコードジェネレータ
６Ａ、６Ｂ              モニタ
８Ａ、８Ｂ              ＶＴＲコントローラ
１２、１６、４３        マイコン
１５                    タイムコードリーダー
３０                    信号処理回路
３４                    タイムコード変換回路
３５                    タイムコード処理回路
３７                    撮像系
３８                    記録再生系
【図１】
0003766999.tif 000002
【図２】
0003766999.tif 000003
【図３】
0003766999.tif 000004
【図４】
0003766999.tif 000005
【図５】
0003766999.tif 000006
【図６】
0003766999.tif 000007